【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
データを読み取る読み取り手段と、
前記読み取り手段によりデータを読み取るためのスキャン設定と、前記スキャン設定に従って前記読み取り手段により読み取られたデータを登録するデータ登録先と、前記スキャン設定に従って前記読み取り手段により読み取られたデータを前記データ登録先へアップロードするデータ登録ジョブに関わるジョブ情報及び前記ジョブ情報の通知先に関する通知情報とを含むデータ処理情報を外部装置から取得する取得手段と、
前記取得手段により取得されたデータ処理情報に含まれているスキャン設定に従って前記読み取り手段により読み取られたデータを、当該取得されたデータ処理情報に含まれているデータ登録先にアップロードする前記データ登録ジョブを実行するアップロード手段と、
前記アップロード手段により実行されたデータ登録ジョブに関するジョブ情報を、前記取得手段により取得されたデータ処理情報に含まれている通知情報に基づいて生成する生成手段と、
前記生成手段により生成されたジョブ情報を、前記取得手段により取得されたデータ処理情報に含まれている通知情報に基づいて前記通知先に通知する通知手段とを有することを特徴とするジョブ処理装置。
【請求項２】
前記データ登録ジョブに関わるジョブ情報及び前記ジョブ情報の通知先に関する通知情報には、前記ジョブ情報を前記通知先に通知するタイミングが含まれており、
前記通知手段は、前記生成手段により生成されたジョブ情報を、前記通知情報に含まれているタイミングで通知することを特徴とする請求項１に記載のジョブ処理装置。
【請求項３】
前記データ登録ジョブに関わるジョブ情報及び前記ジョブ情報の通知先に関する通知情報には、前記通知先に前記ジョブ情報をまとめて通知するか、前記ジョブ情報が得られるたびに通知するかを示す通知方法が含まれており、
前記通知手段は、前記通知方法が、前記ジョブ情報をまとめて通知するものであった場合、前記生成手段により生成されたジョブ情報を記憶媒体に記憶し、記憶したジョブ情報を、前記通知情報に含まれているタイミングで前記通知先にまとめて通知することを特徴とする請求項１に記載のジョブ処理装置。
【請求項４】
前記生成手段は、前記アップロード手段により実行されたデータ登録ジョブに対する課金情報を含むジョブ情報を生成することを特徴とする請求項１〜３の何れか１項に記載のジョブ処理装置。
【請求項５】
データを読み取る読み取り部を有するジョブ処理装置におけるジョブ処理方法であって、
取得手段が、前記読み取り部によりデータを読み取るためのスキャン設定と、前記スキャン設定に従って前記読み取り部により読み取られたデータを登録するデータ登録先と、前記スキャン設定に従って前記読み取り部により読み取られたデータを前記データ登録先へアップロードするデータ登録ジョブに関わるジョブ情報及び前記ジョブ情報の通知先に関する通知情報とを含むデータ処理情報を外部装置から取得する取得ステップと、
アップロード手段が、前記取得ステップにより取得されたデータ処理情報に含まれているスキャン設定に従って前記読み取り部により読み取られたデータを、当該取得されたデータ処理情報に含まれているデータ登録先にアップロードする前記データ登録ジョブを実行するアップロードステップと、
生成手段が、前記アップロードステップにより実行されたデータ登録ジョブに関するジョブ情報を、前記取得ステップにより取得されたデータ処理情報に含まれている通知情報に基づいて生成する生成ステップと、
通知手段が、前記生成ステップにより生成されたジョブ情報を、前記取得ステップにより取得されたデータ処理情報に含まれている通知情報に基づいて前記通知先に通知する通知ステップとを有することを特徴とするジョブ処理方法。
【請求項６】
データを読み取る読み取り部を制御するコンピュータに、
前記読み取り部によりデータを読み取るためのスキャン設定と、前記スキャン設定に従って前記読み取り部により読み取られたデータを登録するデータ登録先と、前記スキャン設定に従って前記読み取り部により読み取られたデータを前記データ登録先へアップロードするデータ登録ジョブに関わるジョブ情報及び前記ジョブ情報の通知先に関する通知情報とを含むデータ処理情報を外部装置から取得する取得手順と、
前記取得手順により取得されたデータ処理情報に含まれているスキャン設定に従って前記読み取り部により読み取られたデータを、当該取得されたデータ処理情報に含まれているデータ登録先にアップロードする前記データ登録ジョブを実行するアップロード手順と、
前記アップロード手順により実行されたデータ登録ジョブに関するジョブ情報を、前記取得手順により取得されたデータ処理情報に含まれている通知情報に基づいて生成する生成手順と、
前記生成手順により生成されたジョブ情報を、前記取得手順により取得されたデータ処理情報に含まれている通知情報に基づいて前記通知先に通知する通知手順とを実行させることを特徴とするコンピュータプログラム。
【手続補正２】
【補正対象書類名】明細書
【補正対象項目名】０００６
【補正方法】変更
【補正の内容】
【０００６】
本発明のジョブ処理装置は、データを読み取る読み取り手段と、前記読み取り手段によりデータを読み取るためのスキャン設定と、前記スキャン設定に従って前記読み取り手段により読み取られたデータを登録するデータ登録先と、前記スキャン設定に従って前記読み取り手段により読み取られたデータを前記データ登録先へアップロードするデータ登録ジョブに関わるジョブ情報及び前記ジョブ情報の通知先に関する通知情報とを含むデータ処理情報を外部装置から取得する取得手段と、前記取得手段により取得されたデータ処理情報に含まれているスキャン設定に従って前記読み取り手段により読み取られたデータを、当該取得されたデータ処理情報に含まれているデータ登録先にアップロードする前記データ登録ジョブを実行するアップロード手段と、前記アップロード手段により実行されたデータ登録ジョブに関するジョブ情報を、前記取得手段により取得されたデータ処理情報に含まれている通知情報に基づいて生成する生成手段と、前記生成手段により生成されたジョブ情報を、前記取得手段により取得されたデータ処理情報に含まれている通知情報に基づいて前記通知先に通知する通知手段とを有することを特徴とする。
【手続補正３】
【補正対象書類名】明細書
【補正対象項目名】０００７
【補正方法】変更
【補正の内容】
【０００７】
本発明のジョブ処理方法は、データを読み取る読み取り部を有するジョブ処理装置におけるジョブ処理方法であって、取得手段が、前記読み取り部によりデータを読み取るためのスキャン設定と、前記スキャン設定に従って前記読み取り部により読み取られたデータを登録するデータ登録先と、前記スキャン設定に従って前記読み取り部により読み取られたデータを前記データ登録先へアップロードするデータ登録ジョブに関わるジョブ情報及び前記ジョブ情報の通知先に関する通知情報とを含むデータ処理情報を外部装置から取得する取得ステップと、アップロード手段が、前記取得ステップにより取得されたデータ処理情報に含まれているスキャン設定に従って前記読み取り部により読み取られたデータを、当該取得されたデータ処理情報に含まれているデータ登録先にアップロードする前記データ登録ジョブを実行するアップロードステップと、生成手段が、前記アップロードステップにより実行されたデータ登録ジョブに関するジョブ情報を、前記取得ステップにより取得されたデータ処理情報に含まれている通知情報に基づいて生成する生成ステップと、通知手段が、前記生成手順により生成されたジョブ情報を、前記取得手順により取得されたデータ処理情報に含まれている通知情報に基づいて前記通知先に通知する通知ステップとを有することを特徴とする。
【手続補正４】
【補正対象書類名】明細書
【補正対象項目名】０００８
【補正方法】変更
【補正の内容】
【０００８】
本発明のコンピュータプログラムは、データを読み取る読み取り部を制御するコンピュータに、前記読み取り部によりデータを読み取るためのスキャン設定と、前記スキャン設定に従って前記読み取り部により読み取られたデータを登録するデータ登録先と、前記スキャン設定に従って前記読み取り部により読み取られたデータを前記データ登録先へアップロードするデータ登録ジョブに関わるジョブ情報及び前記ジョブ情報の通知先に関する通知情報とを含むデータ処理情報を外部装置から取得する取得手順と、前記取得手順により取得されたデータ処理情報に含まれているスキャン設定に従って前記読み取り部により読み取られたデータを、当該取得されたデータ処理情報に含まれているデータ登録先にアップロードする前記データ登録ジョブを実行するアップロード手順と、前記アップロード手順により実行されたデータ登録ジョブに関するジョブ情報を、前記取得手順により取得されたデータ処理情報に含まれている通知情報に基づいて生成する生成手順と、前記生成ステップにより生成されたジョブ情報を、前記取得ステップにより取得されたデータ処理情報に含まれている通知情報に基づいて前記通知先に通知する通知手順とを実行させることを特徴とする。
【手続補正５】
【補正対象書類名】明細書
【補正対象項目名】００２１
【補正方法】変更
【補正の内容】
【００２１】
図５は、ＭＦＰ１００のソフトウェア構成の一例を示す図である。
図５において、ＭＦＰ１００は、その機能として、データ処理情報取得部３０１、データ読み取り部３０２、ジョブ情報取得部３０３、ジョブ情報管理部３０４、ジョブ情報登録部３０５、及び制御部３０６を有する。これらの機能について、図６及び図７のフローチャートを用いて説明する。